(57)【要約】【課題】光源の光の美しさを生かしたコンパクトかつ簡単な構成の発光パネルを提供する。【解決手段】筒部が集まって構成された中空シート２０にＬＥＤ１、電球２、ＥＥＦＬ３を挿入し、電源線４は裏面側に纏めて埋め込んで発光面側には出ないようにしている発光パネル１０である。【選択図】図１
2005135922.tif 000002
【特許請求の範囲】
【請求項１】
ＬＥＤ、蛍光ランプおよび電球から選ばれた少なくとも２つの光源と、
前記光源を保持するパネルと
を備え、
前記パネルは前記光源からの光を放射する発光面と、当該光源に電力を供給する複数の電源線が配置される配線面とを有しており、
複数の前記電源線は纏められて少なくともその一部が前記パネル内に埋め込まれている、発光パネル。
【請求項２】
前記光源は少なくとも２つの異なる色の光を発する光源を有し、それぞれ独立に前記電源線が接続されている、請求項１に記載の発光パネル。
【請求項３】
前記パネルは、略平行に伸びる複数の筒部を有しており、
前記筒部の少なくとも一部は、前記発光面に沿って並べられており、当該筒部の少なくとも発光面側は透光性を有しており、
前記光源は前記筒部の中に納められている、請求項１または２に記載の発光パネル。
【請求項４】
前記パネルは、略平行に伸びかつ同じ方向に開口した複数の溝部を有しており、
前記溝部の少なくとも一部は、前記発光面に沿って並べられており、当該溝部の開口部が発光面側に向いており、
前記光源は前記溝部の中に納められている、請求項１または２に記載の発光パネル。
【請求項５】
前記発光面には透光板が設けられており、当該透光板によって前記溝部の開口部が覆われている、請求項４に記載の発光パネル。
【請求項６】
前記筒部または溝部の一部は当該筒部または溝部の伸びる方向と略直角の方向に切り欠かれており、切り欠かれた部分に前記電源線が埋め込まれる、請求項３から５のいずれか一つに記載の発光パネル。
【請求項７】
前記配線面からも前記光源からの光の少なくとも一部が放射される、請求項１から６のいずれか一つに記載の発光パネル。
【請求項８】
前記パネル内に埋め込まれた前記電源線と前記発光面との間には、前記光源が配置されている、請求項６に記載の発光パネル。
【請求項９】
前記ＬＥＤは複数存していて、前記筒部または前記溝部の伸びる方向に沿って略等間隔で設置されており、
前記筒部または溝部の端部と当該端部に最も近い前記ＬＥＤとの距離は、隣接する２つのＬＥＤ間の距離の略半分である、請求項３から８のいずれか一つに記載の発光パネル。
【請求項１０】
前記電球は複数存していて、前記筒部または前記溝部の伸びる方向に沿って略等間隔で設置されており、
前記筒部または前記溝部の端部と当該端部に最も近い前記電球との距離は、隣接する２つの電球間の距離の略半分である、請求項３から９のいずれか一つに記載の発光パネル。
【請求項１１】
ＬＥＤからなる光源と、
前記光源を保持するパネルと
を備え、
前記パネルは前記光源からの光を放射する発光面と、当該光源に電力を供給する複数の電源線が配置される配線面とを有しており、
複数の前記電源線は纏められて少なくともその一部が前記パネル内に埋め込まれている、発光パネル。
【請求項１２】
蛍光ランプからなる光源と、
前記光源を保持するパネルと
を備え、
前記パネルは前記光源からの光を放射する発光面と、当該光源に電力を供給する複数の電源線が配置される配線面とを有しており、
複数の前記電源線は纏められて少なくともその一部が前記パネル内に埋め込まれている、発光パネル。
【請求項１３】
電球からなる光源と、
前記光源を保持するパネルと
を備え、
前記パネルは前記光源からの光を放射する発光面と、当該光源に電力を供給する複数の電源線が配置される配線面とを有しており、
複数の前記電源線は纏められて少なくともその一部が前記パネル内に埋め込まれている、発光パネル。
【発明の詳細な説明】
【技術分野】
【０００１】
本発明は、発光パネルに関し、特に電源線が埋め込まれている発光パネルに関するものである。
【背景技術】
【０００２】
照明を用いた装飾には様々な種類がある。例えば特許文献１には、建物の外装を照明する装置を建造物の中に組み込んで建造物自体をライトアップさせるための多色からなるオーロラ照明装置が開示されている。この照明装置は、通常時の照明として単色からなる無色の照明と、緑色と赤色と青色の、色の三原色からなる演出時用の照明を、ドーム型建造物の周縁の複数箇所に設置し、通常時の無色の光線が、ドームの中心の天中の上空で交差するように照射方向を設定するとともに、演出時の光の照射を、ドームの周囲に多数の異なる色の光を束にして複数箇所から拡散照射し、相互に影響させ合って無数の異なる色彩を創造する構成を有している。
【０００３】
また、特許文献２には、２本の被覆電線で多数の装飾電球デバイスを連結し、全部の装飾電球デバイスに共通の電気信号を送信して、装飾電球デバイス側に自己識別機能を付与して自分に関係のある電気信号を自ら選択させ、装飾電球デバイス側で電球に対する電力供給を個別に制御させるという技術が開示されている。これにより、電球による複雑な点灯状態のパターンを実現でき点灯状態のパターンの選択の幅が広く、しかも点灯状態のパターンの変更に伴う配線の変更が不要な装飾電球の点灯装置が提供される。
【特許文献１】特開平６−２０３６１０号公報
【特許文献２】特開平７−９９００４号公報
【発明の開示】
【発明が解決しようとする課題】
【０００４】
しかしながら、特許文献１の技術は建物をライトアップし、建物を照らす光の美しさを演出する技術に関するもので非常に大がかりなものではあるが、光源の光自体を美しくするイルミネーションの技術ではない。また、特許文献２の技術は、複数の電球を複雑な点灯状態パターンによって点灯させる装飾電球の技術であって、光源の光そのものの美しさを見せることやより美しすることについては記載されていない。つまり、光源そのものをイルミネーションとして利用することについての記載がこれらの特許文献には乏しい。従って、イルミネーションをどのような形状でどのように利用するかについては、今後の課題となっている。特に、イルミネーションをいつでもどこでも簡単に使用できるように、予めパネル内に組み込んでおくということについては特許文献１，２ともになんらの記載もない。
【０００５】
本発明は、かかる点に鑑みてなされたものであり、その目的とするところは、光源の光の美しさを生かしたコンパクトかつ簡単な構成の発光パネルを提供することにある。
【課題を解決するための手段】
【０００６】
本発明の第１の発光パネルは、ＬＥＤ、蛍光ランプおよび電球から選ばれた少なくとも２つの光源と、前記光源を保持するパネルとを備え、前記パネルは前記光源からの光を放射する発光面と、当該光源に電力を供給する複数の電源線が配置される配線面とを有しており、複数の前記電源線は纏められて少なくともその一部が前記パネル内に埋め込まれている。ここで蛍光ランプとは、放電によって放射される紫外線が蛍光体を励起して可視光に変換され、この可視光を主として利用するランプであり、いわゆる蛍光灯、冷陰極蛍光ランプ、外部電極蛍光ランプなどが含まれる。また発光面、配線面とは、パネルのある一部を指し示すものであり、当該部分に当該面を構成しているシート・板等が有っても無くてもよい。
【０００７】
ある好適な実施形態において、前記光源は少なくとも２つの異なる色の光を発する光源を有し、それぞれ独立に前記電源線が接続されている。
【０００８】
ある好適な実施形態において、前記パネルは、略平行に伸びる複数の筒部を有しており、前記筒部の少なくとも一部は、前記発光面に沿って並べられており、当該筒部の少なくとも発光面側は透光性を有しており、前記光源は前記筒部の中に納められている。
【０００９】
ある好適な実施形態において、前記パネルは、略平行に伸びかつ同じ方向に開口した複数の溝部を有しており、前記溝部の少なくとも一部は、前記発光面に沿って並べられており、当該溝部の開口部が発光面側に向いており、前記光源は前記溝部の中に納められている。
【００１０】
ある好適な実施形態において、前記発光面には透光板が設けられており、当該透光板によって前記溝部の開口部が覆われている。
【００１１】
ある好適な実施形態において、前記筒部または溝部の一部は当該筒部または溝部の伸びる方向と略直角の方向に切り欠かれており、切り欠かれた部分に前記電源線が埋め込まれる。
【００１２】
ある好適な実施形態において、前記配線面からも前記光源からの光の少なくとも一部が放射される。
【００１３】
ある好適な実施形態において、前記パネル内に埋め込まれた前記電源線と前記発光面との間には、前記光源が配置されている。
【００１４】
前記ＬＥＤは複数存していて、前記筒部または前記溝部の伸びる方向に沿って略等間隔で設置されており、前記筒部または溝部の端部と当該端部に最も近い前記ＬＥＤとの距離は、隣接する２つのＬＥＤ間の距離の略半分であることが好ましい。
【００１５】
前記電球は複数存していて、前記筒部または前記溝部の伸びる方向に沿って略等間隔で設置されており、前記筒部または前記溝部の端部と当該端部に最も近い前記電球との距離は、隣接する２つの電球間の距離の略半分であることが好ましい。
【００１６】
本発明の第２の発光パネルは、ＬＥＤからなる光源と、前記光源を保持するパネルとを備え、前記パネルは前記光源からの光を放射する発光面と、当該光源に電力を供給する複数の電源線が配置される配線面とを有しており、複数の前記電源線は纏められて少なくともその一部が前記パネル内に埋め込まれている。
【００１７】
本発明の第３の発光パネルは、蛍光ランプからなる光源と、前記光源を保持するパネルとを備え、前記パネルは前記光源からの光を放射する発光面と、当該光源に電力を供給する複数の電源線が配置される配線面とを有しており、複数の前記電源線は纏められて少なくともその一部が前記パネル内に埋め込まれている。
【００１８】
本発明の第４の発光パネルは、電球からなる光源と、前記光源を保持するパネルとを備え、前記パネルは前記光源からの光を放射する発光面と、当該光源に電力を供給する複数の電源線が配置される配線面とを有しており、複数の前記電源線は纏められて少なくともその一部が前記パネル内に埋め込まれている。
【発明の効果】
【００１９】
本発明の発光パネルは、光源がパネルに保持され、電源線はパネル中に埋め込まれているので、コンパクトで電源線が邪魔にならないイルミネーションとして利用できる。そしてこのようにコンパクトな発光パネルであるので、運搬・設置が容易であり使いやすさも優れている。
【発明を実施するための最良の形態】
【００２０】
以下、本発明の実施形態を図面に基づいて詳細に説明する。
【００２１】
（実施形態１）
図１（ａ）は、実施形態１に係る発光パネル１０の正面図であり、発光面を示している。この発光パネル１０はポリカーボネート製の中空パネル２０の中にＬＥＤ１，１，…、電球２，２，…および外部電極蛍光ランプ（以下、ＥＥＦＬという）３，３，…を納めた構造になっている。つまり３種類の光源を備えたイルミネーションである。また、この発光パネル１０の裏面（配線面）を図２に示す。図１，２ともに、パネル２０最外面を覆っているポリカーボネート板は説明をしやすくするために省略している。なお本実施形態では、これらのポリカーボネート板（図１では発光面側の板（発光面板２１）、図２では配線面側の板（配線面板２２））は無色透明である。
【００２２】
中空パネル２０の横断面を図３に示す。この図からわかるように、中空パネルは正面および背面を構成する略平行な２枚の発光面板２１および配線面板２２間の空間を仕切り板で仕切って、図１（ａ）の上下方向に伸びる多数の細長い中空の部屋が並んだ状態になっている。別の言葉でいうと、多数のポリカーボネート製の筒が互いに略平行に並べられており、これらの集合体がパネル２０を形成している。この中空パネル２０の全体の形状は、矩形の平板である。
【００２３】
中空パネル２０の断面構造をさらに説明する。この中空パネルは、正面および背面の略平行な２枚の板（発光面板２１、配線面板２２）の間にこれらの板と平行に３枚の中間板２４ａ，２４ｂ，２４ｃを有している。これらの５枚の板は等間隔で配置されている。そして、これらの５枚の板を支持するため、発光面板２１と配線面板２２とを繋ぐ複数の支持板２３，２３，…が互いに平行に設けられている。支持板２３，２３，…は発光面板２１および配線面板２２に垂直に設けられ、中間板２４ａ，２４ｂ，２４ｃを貫く構造（中間板２４ａ，２４ｂ，２４ｃとは接合されている）になっている。なお、支持板２３，２３，…の伸びる方向は、図１（ａ）において上下方向である。さらに中間板２４ａ，２４ｂ，２４ｃを支持するために波板２５，２５，…を設けている。波板２５，２５，…は、支持板２３，２３，…における真ん中の中間板２４ｂとの接合部近傍から、支持板２３，２３，…に対して約４５度に伸びていき、外側の中間板２４ａ，２４ｃを貫いて（両者は接合している）発光面板２１（または配線面板２２）に接合する。発光面板２１（または配線面板２２）の接合部分から隣の支持板２３に向かって、発光面板２１（または配線面板２２）に対して約４５度で伸びていき、途中で外側の中間板２４ａ，２４ｃを貫き（両者は接合している）隣の支持板２３に接合する。
【００２４】
次に各光源の中空パネル２０への挿入について説明する。
【００２５】
ＬＥＤ１，１，…は長尺の短冊状の基板上に設置されている。この基板を発光面板２１側の２つの中間板２４ａ，２４ｂ同士および支持板２３，２３が形成する筒部（光源用筒部２７）に挿入する。この時、ＬＥＤ素子が設置されている面側を発光面板２１側に向ける。電源線４は基板裏面側（ＬＥＤ素子が設置されているのとは反対側）に配置される。
【００２６】
ＬＥＤ１，１，…に関してさらに説明すると、図１（ｂ）に示すように、赤（Ｒ）、緑（Ｇ）、青（Ｂ）の３色のＬＥＤ１，１，…が縦方向に順に並んでおり、発光の美しさの効果を挙げるため各色はそれぞれ横方向に並んだ３つのＬＥＤ素子によって構成されている。
【００２７】
電球２，２，…は電源線上に等間隔で配置されていて、電源線とともに光源用筒部２７に挿入される。なお、図１，２では光源用筒部２７内の電源線を省略している。
【００２８】
ＥＥＦＬ３，３，…は筒部２７が伸びる方向における中空パネル２０の長さと略同じ長さを有しており、筒部２７に挿入されている。ＥＥＦＬ３，３，…は両端が封止されたガラス管であって、内面には蛍光体層が形成されており、両端の外面側にはＡｌからなる電極が形成されている。ＥＥＦＬ３，３，…の内部には水銀と希ガスの混合ガスが封入されている。ＥＥＦＬはガラス管の外面側に電極があるため、通常の蛍光灯や冷陰極蛍光ランプ（以下、ＣＣＦＬという）のように電極が放電によって損傷する虞がなく、これらよりも寿命が長い。また、通常の蛍光灯やＣＣＦＬとは違って、熱がほとんど出ないためエネルギー損失が少なく、発光効率が高い。
【００２９】
本実施形態では光源の並べ方として、ＬＥＤ１、電球２、ＬＥＤ１、ＥＥＦＬ３、ＬＥＤ１、ＥＥＦＬ３、ＬＥＤ１、電球２・・・と筒部２７の伸びる方向に並べており、それぞれの間には光源を挿入していない筒部２７を１本挟んでいる。
【００３０】
次に電源線４のパネル２０内への埋め込みについて説明をする。
【００３１】
図４に示すように、パネル２０の筒部２７が開口している端部において、当該端部から内側に約４ｃｍに渡って、配線面板２２側の波板２５と配線面板２２に隣り合う中間板２４ｃと配線面板２２から真ん中の中間板２４ｂまでの支持板２３とを切除して電源線埋め込み部２９を形成する。これにより、筒部が伸びる方向に対して直角に伸びる幅約４ｃｍの細長い空間が出来上がる。光源用筒部２７，２７，…に挿入された各光源の電源線４は纏められて電源線埋め込み部２９に入れられる。電源線埋め込み部２９は配線面板２２で覆われているので、電源線４は配線面板２２と中間板２４ｂとで挟まれて保持され、パネル２０から出てしまうことはない。つまり電源線４は纏めて束ねられ電源線埋め込み部２９に埋め込まれた状態となっている。なお、電源線埋め込み部２９に電圧調整用の抵抗などを設置した配線基板を電源線４と一緒に入れてもよい。
【００３２】
このように電源線埋め込み部２９に電源線４を埋め込んだ発光パネル１０の配線面板側からの様子は、図２に示すように、矩形である発光パネル１０の一辺に電源線４が纏められており、従って配線面板側からでも電球２，２，…およびＥＥＦＬ３，３，…のほとんどはその光を発することができる。なお本実施形態では、ＬＥＤ１，１，…は基板上に配置されているため、配線面板側には光を放射できない。
【００３３】
本実施形態では、図１（ｂ）に示すように、ＬＥＤ１，１，…は光源用筒部２７，２７，…内でこの筒部２７，２７，…が伸びる方向に等間隔（ここでは１０ｍｍ）Ｄ１で並んでおり、光源用筒部２７の端２８とこの端２８に最も近いＬＥＤ１との距離Ｄ２はＤ１の半分である。また、電球２，２，…も光源用筒部２７，２７，…が伸びる方向に等間隔で並んでおり、光源用筒部２７の端２８とこの端２８に最も近い電球２との距離は、隣り合う電球２，２間の距離の半分である。光源用筒部２７の端２８とＬＥＤあるいは電球との距離関係をこのようにすることにより、複数の発光パネル１０を筒部の端同士を合わせて大きな一枚の発光パネルを形成した場合、ＬＥＤ１，１，…および電球２，２，…は隣り合う２枚の発光パネル１０，１０に渡って等間隔で配置されているように見える。つまり、２枚の発光パネル１０は継ぎ目のない１枚のイルミネーションのように見えるのである。このとき、電源線４は配線面板２２側に纏められ、発光面板側においては電源線４の上に各光源が置かれるようになっているので、電源線４によって各光源の光が隠されることはない。以上のことは発光パネル１０の枚数を３枚、４枚、…と増やしていった場合でも同じであり、全体で一枚のイルミネーションのように見える。
【００３４】
次に本実施形態の発光パネル１０の使用方法について説明する。
【００３５】
本実施形態の発光パネル１０は、一枚あるいは複数枚を組み合わせて、例えばショウウィンドウの壁面や広告パネル、壁面イルミネーション、演劇やショー等の舞台のイルミネーションなどとして用いられ得る。発光パネル１０から伸びる電源線４はコントローラに接続される。コントローラにはコンピュータが内蔵されており、このコンピュータによって各光源の発光が制御される。例えば、ＬＥＤ１，電球２、ＥＥＦＬ３をそれぞれ別々にあるいは２種類、３種類を同時に点灯させたり、点灯と消灯とを種々のタイミングで制御したり、電球２，２，…の一つ一つをランダムに点滅させたり、ＬＥＤ１の３色をそれぞれ別々に点灯／消灯の制御をしたりすること等により、一つの発光パネル１０で非常に多種類のイルミネーション効果を発揮することができる。つまり、本実施形態の発光パネル１０は、非常に多種類の発光状態を備えているイルミネーションとして使用することができ、このような発光パネル１０はマルチシャイニングボードと名付けることができる。
【００３６】
また、配線面板２２側を正面に向けてもよい。この場合はＬＥＤ１の光が出射されない点と電源線４により一部の光が遮られる点が発光面板２１を正面に向ける場合に比べて不利であるが、電球２とＥＥＦＬ３とをコントローラによって点灯制御することで、発光状態が多様に変化するイルミネーションとして使用することができる。
【００３７】
以上説明したように、本実施形態の発光パネル１０は、中空パネル２０を用意すれば簡単に製作することができる。そして、この発光パネル１０を何枚も組み合わせることによって様々な大きさや形状のイルミネーションをこのイルミネーションの使用場所において簡単に作ることができる。そして、電源線４は発光面側には出ていないので、パネル全面をイルミネーションとして利用できる。また、一種類の発光パネル１０で多種多様の発光状態を作り出すことができ、コスト的に有利である。
【００３８】
（実施形態２）
実施形態２に係る発光パネルは、光源を保持する中空パネルが実施形態１と異なるだけで、残りの点は実施形態１と同じであるので、実施形態１と異なる点だけを説明する。
【００３９】
本実施形態に係るパネル３０は、図５に示すように複数の溝部３７，３７，…が発光面に沿って平行に伸びており、この溝部３７，３７，…にＬＥＤ１、電球２、ＥＥＦＬ３を挿入する。これらの光源は溝部３７，３７，…から飛び出さないように接着剤等で溝部３７，３７，…に固定されることが好ましい。
【００４０】
このパネル３０は、平行な中間板３４と配線面板３２とを、これらの板３２，３４と直交する複数の仕切り板３３，３３，…とで結合して形成されている。仕切り板３３，３３，…同士は平行に伸びている。仕切り板３３，３３，…は中間板３４の配線面板３２に対向する面とは反対側の面からも伸びており、これが溝部３７，３７，…の側壁となっている。また、中間板３４の配線面板３２に対向する面とは反対側の面が溝部３７，３７，…の底面となっている。
【００４１】
本実施形態では、中間板３４と配線面板３２との間の仕切り板３３，３３，…の一部を切除することにより電源線埋め込み部を形成する。
【００４２】
本実施形態のパネル３０は、実施形態１のパネル２０に比べて簡単な構造であり、また、溝部３７，３７，…の開口部から各光源を納めることができるので、光源の設置および電源線埋め込み部の形成を簡単に行うことができる。本実施形態係る発光パネルの作用効果は実施形態１に係る発光パネル１０と同じである。なお、各光源を設置した後に溝部３７，３７，…の開口部を塞ぐように透光板（発光面板）をかぶせてもよい。
【００４３】
（実施形態３）
実施形態３に係る発光パネルは、光源を保持する中空パネルが実施形態１と異なるだけで、残りの点は実施形態１と同じであるので、実施形態１と異なる点だけを説明する。
【００４４】
本実施形態に係るパネル４０は、図６に示すように複数の筒部４７が発光面板４１に沿って平行に伸びており、この筒部４７，４７，…にＬＥＤ１、電球２、ＥＥＦＬ３を挿入する。挿入方法は実施形態１と同じである。
【００４５】
このパネル４０は、平行に並んだ発光面板４１、中間板４４、配線面板４２を複数の支持板４３，４３，…によって支え、かつ、発光面板４１、中間板４４、配線面板４２の間の空間を複数の支持板４３，４３，…によって仕切って筒部４７，４７，…を形成しているものである。支持板４３，４３，…同士は互いに平行かつ等間隔に並んでいる。従ってパネル４０の横断面（図６）は２段に積み上げられた多数の長方形が並んでいる形状となっている。
【００４６】
本実施形態では、中間板４４と配線面板４２との間に存する支持板４３，４３，…の部分を切除することにより電源線埋め込み部を形成する。
【００４７】
本実施形態のパネル４０は、実施形態１のパネル２０に比べて簡単な構造であるので、光源の設置および電源線埋め込み部の形成を簡単に行うことができる。本実施形態係る発光パネルの作用効果は実施形態１に係る発光パネル１０と同じである。
【００４８】
（実施形態４）
実施形態４に係る発光パネルは、用いられる光源が実施形態１と異なるだけで残りの点は実施形態１と同じであるので、実施形態１と異なる点だけを説明する。
【００４９】
本実施形態に係る発光パネル１１の光源は図１０に示すように、全てＬＥＤ１，１，…である。このＬＥＤ１，１，…の形態や挿入方法などは実施形態１と同じである。
【００５０】
本実施形態では、電球やＥＥＦＬとの組み合わせによるイルミネーション効果は無いが、それ以外の効果は実施形態１と同じである。
【００５１】
（実施形態５）
実施形態５に係る発光パネルは、用いられる光源が実施形態１と異なるだけで残りの点は実施形態１と同じであるので、実施形態１と異なる点だけを説明する。
【００５２】
本実施形態に係る発光パネル１２の光源は図１１に示すように、全て電球２，２，…である。この電球２，２，…の形態や挿入方法などは実施形態１と同じである。
【００５３】
本実施形態では、ＬＥＤやＥＥＦＬとの組み合わせによるイルミネーション効果は無いが、それ以外の効果は実施形態１と同じである。
【００５４】
（実施形態６）
実施形態４に係る発光パネルは、用いられる光源が実施形態１と異なるだけで残りの点は実施形態１と同じであるので、実施形態１と異なる点だけを説明する。
【００５５】
本実施形態に係る発光パネル１３の光源は図１２に示すように、全てＥＥＦＬ３，３，…である。このＥＥＦＬ３，３，…の形態や挿入方法などは実施形態１と同じである。
【００５６】
本実施形態では、電球やＬＥＤとの組み合わせによるイルミネーション効果は無いが、それ以外の効果は実施形態１と同じである。
【００５７】
（その他の実施形態）
これまで説明した実施形態は本発明の例示であって、本発明はこれらの例に限定されない。
【００５８】
上記の実施形態において光源の並べ方は任意である。例えば、実施形態１においてＬＥＤ、電球、ＥＥＦＬ、ＬＥＤ、電球、ＥＥＦＬの順で並べても良い。一つの筒部または溝部に２種類以上の光源を混在させて挿入しても構わない。ＬＥＤ素子の配置方法も任意である。
【００５９】
各光源のＯＮ／ＯＦＦや明るさの制御は、コンピュータによる制御以外に手動の制御や外部信号による制御などどのような制御を行ってもよい。
【００６０】
発光面板や配線面板に凹凸を設けたり擂りを入れたりこれらの板を乳白にすると、各光源の光が散乱されて光が和らげられ美しさが増す効果が出るので好ましい。
【００６１】
発光面板や配線面板は無色でなくても構わない。また、有色の場合は、全面同じ色でもよいし、複数の色（無色を含む）を任意の箇所に配置していても構わない。
【００６２】
電球やＥＥＦＬも有色のものを用いてもよい。
【００６３】
実施形態２，３において配線面板３２，４２が無いパネルを用いても良い。即ち、配線面側が溝部となっているパネルを用いてもよい。
【００６４】
光源として、蛍光灯やＣＣＦＬなどを用いてもよい。また、一つの光源用筒部に２種類以上の光源を入れてもよい。
【００６５】
中空パネルの構成材料は、ポリカーボネート以外のプラスチック、例えばポリエステルやポリプロピレン等でも構わないし、ガラスでもよい。
【００６６】
電源線は一部がパネル内に埋め込まれ、残り部分がパネル外に出ていてもよい。
【００６７】
発光パネル１０，１１，１２，１３，２０，３０は、平面的に使用する以外に、図７に示すように４枚用いて四角柱の形状にしてもよい。この場合、配線面は柱の内側に入り込む。また。発光パネル１０，１１，１２，１３，２０，３０は平板以外に曲面を有する板であっても構わない。例えば、図８に示すように、円柱を構成する発光パネル５０出会っても構わない。この場合、中空パネルそのものが円柱形であってもよいし、円筒を縦に（中心軸を含む面で）２分割、３分割などした形状のパネルでもよい。あるいは、図８に示すように、三角形の発光パネル６０，６０を組み合わせてピラミッド型などの角錐などにしても構わない。
【産業上の利用可能性】
【００６８】
以上説明したように、本発明に係る発光パネルは、コンパクトで電源線が邪魔にならないので、商品売り場や劇場等のイルミネーション等として有用である。
【図面の簡単な説明】
【００６９】
【図１】実施形態１に係る発光パネルの正面図である。
【図２】実施形態１に係る発光パネルの裏面図である。
【図３】実施形態１に係る中空パネルの横断面図である。
【図４】実施形態１に係る中空パネルの電源線埋め込み部を裏面から示している図である。
【図５】実施形態２に係る中空パネルの横断面図である。
【図６】実施形態３に係る中空パネルの横断面図である。
【図７】実施形態１に係る発光パネルを用いた角柱状のイルミネーションの斜視図である。
【図８】本発明の発光パネルを用いた円柱状のイルミネーションの斜視図である。
【図９】本発明の発光パネルを用いた三角錐状のイルミネーションの斜視図である。
【図１０】実施形態４に係る発光パネル正面図である。
【図１１】実施形態５に係る発光パネル正面図である。
【図１２】実施形態６に係る発光パネル正面図である。
【符号の説明】
【００７０】
１        ＬＥＤ
２        電球
３        ＥＥＦＬ
４        電源線
１０      発光パネル
１１      発光パネル
１２      発光パネル
１３      発光パネル
２０      中空パネル
２１      発光面板
２２      配線面板
２７      筒部
２９      電源線埋め込み部
３０      中空パネル
３７      溝部
４０      中空パネル
４７      筒部
５０      発光パネル
６０      発光パネル
【図１】
2005135922.tif 000003
【図２】
2005135922.tif 000004
【図３】
2005135922.tif 000005
【図４】
2005135922.tif 000006
【図５】
2005135922.tif 000007
【図６】
2005135922.tif 000008
【図７】
2005135922.tif 000009
【図８】
2005135922.tif 000010
【図９】
2005135922.tif 000011
【図１０】
2005135922.tif 000012
【図１１】
2005135922.tif 000013
【図１２】
2005135922.tif 000014